【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
基地局装置から通知される第１の制御情報及び第２の制御情報を取得する取得部と、
前記第１の制御情報に基づいて、第１のリソースにスケジュールされる第１のデータチャネル及び前記第１のデータチャネルを復調するための参照信号の受信処理を行う受信処理部と、
を備え、
前記受信処理部は、前記第２の制御情報に基づいて、前記第１のリソースのうち前記第１のリソースの一部である第２のリソースを除いたリソースにマッピングされる第１のデータチャネルの受信処理を、前記参照信号が前記第２のリソースを含む前記第１のリソースにマッピングされると想定して行う、端末装置。
【請求項２】
前記第２のリソースには、前記基地局装置と通信する別の端末装置にスケジュールされる第２のデータチャネルがマッピングされる、請求項１に記載の端末装置。
【請求項３】
前記第２の制御情報は、第１の制御情報よりも後の時刻に送信される、請求項１又は２に記載の端末装置。
【請求項４】
基地局装置から通知される第３の制御情報を取得する取得部と、
前記第３の制御情報に基づいて、第１のリソースの一部である第２のリソースにスケジュールされる第２のデータチャネルの受信処理を行う受信処理部と、
を備え、
前記受信処理部は、前記第２のリソースのうち前記第２のリソースの一部である第３のリソースを除いたリソースに前記第２のデータチャネルがマッピングされると想定して受信処理を行う、端末装置。
【請求項５】
前記第３のリソースは、前記第１のリソースのうち前記第２のリソースを除いたリソースにマッピングされる第１のデータチャネルを復調するための参照信号がマッピングされる第４のリソースを包含する、請求項４に記載の端末装置。
【請求項６】
前記取得部は、前記基地局装置から通知される第４の制御情報を取得し、
前記第４の制御情報は、前記第３のリソースを示す、請求項４又は５に記載の端末装置。
【請求項７】
前記第３のリソースのサブキャリア間隔は、所定の同期信号、所定の参照信号又は報知チャネルの送信に用いられるサブキャリア間隔と同じである、請求項４〜６のいずれか一項に記載の端末装置。
【請求項８】
前記第３のリソースは、予め規定される、請求項４〜７のいずれか一項に記載の端末装置。
【請求項９】
前記第３のリソースのサブキャリア間隔は、前記第４のリソースのサブキャリア間隔と同じである、請求項５に記載の端末装置。
【請求項１０】
前記第３のリソースのサブキャリア間隔は、前記第４のリソースのサブキャリア間隔と異なる、請求項５に記載の端末装置。
【請求項１１】
前記受信処理部は、前記想定に基づいてＣＳＩフィードバックを行う、請求項４〜１０のいずれか一項に記載の端末装置。
【請求項１２】
第１の端末装置のための第１のリソースに関する第１の制御情報、及び前記第１のリソースの一部である第２の端末装置のための第２のリソースに関する第２の制御情報を、前記第１の端末装置に通知する通知部と、
前記第１のリソースに第１のデータチャネルをスケジュールしつつ、前記第１のリソースのうち前記第２のリソースを除いたリソースに前記第１のデータチャネルをマッピングするデータチャネル送信部と、
前記第１のデータチャネルを復調するための参照信号を、前記第２のリソースを含む前記第１のリソースにマッピングする参照信号送信部と、
を備える基地局装置。
【請求項１３】
第１の端末装置のための第１のリソースの一部である第２の端末装置のための第２のリソースに関する第３の制御情報を前記第２の端末装置に通知する通知部と、
前記第２のリソースに第２のデータチャネルをスケジュールしつつ、前記第２のリソースのうち前記第２のリソースの一部である第３のリソースを除いたリソースに前記第２のデータチャネルをマッピングするデータチャネル送信部と、
を備える基地局装置。
【請求項１４】
基地局装置から通知される第１の制御情報及び第２の制御情報を取得することと、
前記第１の制御情報に基づいて、第１のリソースにスケジュールされる第１のデータチャネル及び前記第１のデータチャネルを復調するための参照信号の受信処理をプロセッサにより行うことと、
を含み、
前記受信処理を行うことは、前記第２の制御情報に基づいて、前記第１のリソースのうち前記第１のリソースの一部である第２のリソースを除いたリソースにマッピングされる第１のデータチャネルの受信処理を、前記参照信号が前記第２のリソースを含む前記第１のリソースにマッピングされると想定して行うことを含む、方法。
【請求項１５】
基地局装置から通知される第３の制御情報を取得することと、
前記第３の制御情報に基づいて、第１のリソースの一部である第２のリソースにスケジュールされる第２のデータチャネルの受信処理をプロセッサにより行うことと、
を含み、
前記受信処理を行うことは、前記第２のリソースのうち前記第２のリソースの一部である第３のリソースを除いたリソースに前記第２のデータチャネルがマッピングされると想定して受信処理を行うことを含む、方法。
【請求項１６】
第１の端末装置のための第１のリソースに関する第１の制御情報、及び前記第１のリソースの一部である第２の端末装置のための第２のリソースに関する第２の制御情報を、前記第１の端末装置に通知することと、
前記第１のリソースに第１のデータチャネルをスケジュールしつつ、前記第１のリソースのうち前記第２のリソースを除いたリソースに前記第１のデータチャネルをプロセッサによりマッピングすることと、
前記第１のデータチャネルを復調するための参照信号を、前記第２のリソースを含む前記第１のリソースにマッピングすることと、
を含む、方法。
【請求項１７】
第１の端末装置のための第１のリソースの一部である第２の端末装置のための第２のリソースに関する第３の制御情報を前記第２の端末装置に通知することと、
前記第２のリソースに第２のデータチャネルをスケジュールしつつ、前記第２のリソースのうち前記第２のリソースの一部である第３のリソースを除いたリソースに前記第２のデータチャネルをプロセッサによりマッピングすることと、
を含む、方法。
【請求項１８】
コンピュータを、
基地局装置から通知される第１の制御情報及び第２の制御情報を取得する取得部と、
前記第１の制御情報に基づいて、第１のリソースにスケジュールされる第１のデータチャネル及び前記第１のデータチャネルを復調するための参照信号の受信処理を行う受信処理部と、
として機能させ、
前記受信処理部は、前記第２の制御情報に基づいて、前記第１のリソースのうち前記第１のリソースの一部である第２のリソースを除いたリソースにマッピングされる第１のデータチャネルの受信処理を、前記参照信号が前記第２のリソースを含む前記第１のリソースにマッピングされると想定して行うよう、機能させるためのプログラムが記録された記録媒体。
【請求項１９】
コンピュータを、
基地局装置から通知される第３の制御情報を取得する取得部と、
前記第３の制御情報に基づいて、第１のリソースの一部である第２のリソースにスケジュールされる第２のデータチャネルの受信処理を行う受信処理部と、
として機能させ、
前記受信処理部は、前記第２のリソースのうち前記第２のリソースの一部である第３のリソースを除いたリソースに前記第２のデータチャネルがマッピングされると想定して受信処理を行うよう、機能させるためのプログラムが記録された記録媒体。
【請求項２０】
コンピュータを、
第１の端末装置のための第１のリソースに関する第１の制御情報、及び前記第１のリソースの一部である第２の端末装置のための第２のリソースに関する第２の制御情報を、前記第１の端末装置に通知する通知部と、
前記第１のリソースに第１のデータチャネルをスケジュールしつつ、前記第１のリソースのうち前記第２のリソースを除いたリソースに前記第１のデータチャネルをマッピングするデータチャネル送信部と、
前記第１のデータチャネルを復調するための参照信号を、前記第２のリソースを含む前記第１のリソースにマッピングする参照信号送信部と、
として機能させるためのプログラムが記録された記録媒体。
【請求項２１】
コンピュータを、
第１の端末装置のための第１のリソースの一部である第２の端末装置のための第２のリソースに関する第３の制御情報を前記第２の端末装置に通知する通知部と、
前記第２のリソースに第２のデータチャネルをスケジュールしつつ、前記第２のリソースのうち前記第２のリソースの一部である第３のリソースを除いたリソースに前記第２のデータチャネルをマッピングするデータチャネル送信部と、
として機能させるためのプログラムが記録された記録媒体。
【手続補正２】
【補正対象書類名】図面
【補正対象項目名】図１
【補正方法】変更
【補正の内容】
【図１】
2018110358.tif 000001